(57)【要約】【課題】マルチスクリーンの映像表示装置において、撮影条件が異なる様々な映像を、臨場感・没入感の高い良好な品質で観察できるように表示し、特に立体映像として撮影された映像に関して、良好な品質で観察できるように表示すること。【解決手段】映像撮影時のカメラの撮影角度を示す情報と、複数の映像表示部間の表示画面角度を示す情報とを比較し、観察時の映像表示部間の角度を調整するか否かを判定し、判定結果をユーザに通知する構成を備える。【選択図】    図２
2011035590.tif 000002
【特許請求の範囲】
【請求項１】
複数の映像表示手段を備え、該映像表示手段間で表示面のなす角度が可変であるマルチスクリーン映像表示装置において、
映像情報を含む多重化データを、符号化映像データと、映像に関する付属情報とに分離するデータ分離手段と、
前記符号化映像データを復号し、表示可能な映像データを生成する映像復号手段と、
前記付属情報から、映像撮影時のカメラの撮影角度を含む撮影条件を抽出する撮影条件抽出手段と、
前記復号された映像データを、前記複数の映像表示手段に対応させて出力する映像出力手段と、
前記複数の映像表示手段間の各表示面のなす角度を検出する表示条件検出手段と、
前記撮影条件と、前記表示条件とから、前記複数の映像表示手段間の各表示面のなす角度に関する調整要否と必要調整量を判定する調整判定手段と、
前記調整要否または必要調整量を表す情報を出力する調整状態出力手段と
を備えることを特徴とする、マルチスクリーン映像表示装置。
【請求項２】
前記複数の映像表示手段は、第１の映像表示手段と、第１の映像表示手段の左側面に連続もしくは隣接して配置される第２の映像表示手段と、第１の映像表示手段の右側面に連続もしくは隣接して配置される第３の映像表示手段とを含んで構成されることを特徴とする、請求項１に記載のマルチスクリーン映像表示装置。
【請求項３】
前記複数の映像表示手段は、第１の映像表示手段と、第１の映像表示手段の下側面に連続もしくは隣接して配置される第２の映像表示手段とを含んで構成されることを特徴とする、請求項１に記載のマルチスクリーン映像表示装置。
【請求項４】
前記複数の映像表示手段は、両眼視差を有する立体映像を表示する構成を備えることを特徴とする、請求項１〜３のいずれか１に記載のマルチスクリーン映像表示装置。
【請求項５】
複数の映像表示手段を備え、映像表示手段間で表示面のなす角度が可変であるマルチスクリーン映像表示装置において、
映像情報を含む多重化データを、符号化映像データと、映像に関する付属情報とに分離するデータ分離手段と、
前記符号化映像データを復号し、表示可能な映像データを生成する映像復号手段と、
前記付属情報から、映像撮影時のカメラの撮影角度を含む撮影条件を抽出する撮影条件抽出手段と、
前記復号された映像データを、前記複数の映像表示手段に対応させて出力する映像出力手段と、
前記複数の映像表示手段間の各表示面のなす角度を検出する表示条件検出手段と、
前記撮影条件と、前記表示条件とから、前記複数の映像表示手段間の各表示面のなす角度に関する調整要否と必要調整量を判定する調整判定手段と、
前記必要調整量に従って、前記映像表示手段間の各表示面のなす角度を調整する表示条件調整手段と、を備えることを特徴とする、マルチスクリーン映像表示装置。
【発明の詳細な説明】
【技術分野】
【０００１】
本発明は、映像の表示装置に関するもので、特に、広視野角の映像が得られる、臨場感・没入感の高い映像表示装置に関するものである。
【背景技術】
【０００２】
臨場感を高める映像表示装置として、いわゆる大画面ディスプレイや大画面プロジェクタが挙げられる。映像の表示サイズは映像鑑賞時の心理効果と関係が深く、画面やスクリーンから所定の距離だけ離れて映像を鑑賞した時、画面サイズが大きくなるに従い、すなわち画角が大きくなるに従って、臨場感に関する評価が向上するという性質がある。従って、映像表示装置の大画面化は、映像表示の高精細化と共に、臨場感向上のための重要な要素になっている。
【０００３】
映像表示装置の大画面化には、液晶ディスプレイパネルやプラズマディスプレイパネルそのものを大型化するものや、１台のプロジェクタで大画面スクリーンに投射するものの他、比較的小さな表示パネルやスクリーンおよびプロジェクタを複数枚もしくは複数台連結・連携して、トータルの画面サイズを増大させるタイプがある。この複数画面タイプは、パネルを含む装置の製造コストや、設置・運搬の容易性などを考慮すると、映像表示装置の大画面化の手法の一つとして有効であるといえる。
【０００４】
このような複数画面タイプの表示装置として、特許文献１の広視野角表示装置がある。これは、正面スクリーンの左右両辺に連続するように左側面スクリーンと右側面スクリーンをそれぞれ配置し、かつ、正面スクリーンの下辺に連続する下面スクリーンを配置する構成を基本とし、それぞれのスクリーンに映像を出力するものである。その際、各スクリーン間が所定の角度をなすように配置することにより、映像鑑賞時に広い視野角を得ることを可能にしている。
【０００５】
さらに、前記文献では、前記所定の角度をなすスクリーンで最適な映像を得るために、実写映像の撮影時に、各スクリーン用のカメラ間のなす角度を、前記各スクリーン間の角度に合わせるように配置する実写映像収録システムも併せて開示している。
【先行技術文献】
【特許文献】
【０００６】
【特許文献１】特開平１０−２３３９８２号公報
【発明の概要】
【発明が解決しようとする課題】
【０００７】
しかし、実写映像撮影の際には、風景中心の映像なのか人物中心の映像なのか、あるいはカメラの撮影画角など、撮影したい映像範囲や撮影できる映像範囲などに依存してカメラの配置角度が決まるものであり、あらかじめ表示装置に合わせてカメラの配置角度を決めることが適当であるとは限らない。もし、撮影時のカメラ角度と観察時のスクリーン角度との整合がとれていない場合、撮影時の視点（カメラ）と被写体の位置関係と、観察時の視点（観察者の目）と被写体の位置関係に差異が生じるため、観察される映像に歪みや違和感を生じることになる。この点について、以下、図６〜図９を用いて説明する。
【０００８】
例えば、撮影画角６０°のカメラを３基用い、図６のように、隣接するカメラ６０１と６０２、および６０２と６０３の撮影方向のなす角度がそれぞれ６０°であるように撮影視点Ｐ０に配置し、左側面用／正面用／右側面用の映像をそれぞれ撮影したとする。カメラ３基による全体の撮影画角は１８０°である。撮影対象である６つの被写体６０４ａ〜６０４ｆは、点Ｐ０から等しい位置にあるものとする。このように撮影された映像は、その撮影角度に合わせて、図７に示すような表示面のなすスクリーン角度１２０°の３面スクリーンを用い、各スクリーンすべての正面位置である点Ｐ１から観察すると、各被写体との相対的な位置・角度関係が撮影時と相似関係になり、結果として映像全体にわたって撮影時の配置を再現した、歪みのない最適な映像が得られる。
【０００９】
次に、同じ映像を、図８に示すような表示面のなすスクリーン角度１３５°の３面スクリーンで観察するケースを想定する。このスクリーン構成は、前記特許文献１で開示されたものと同様である。この場合、図７とはスクリーン間の角度が変わるため、表示される各被写体の位置・角度関係について撮影時との相似関係が崩れてしまう。すなわち、各被写体の配置を撮影時通りに再現できなくなり、スクリーン単位では違和感なく観察できるとしても、映像全体として見た場合に歪みを生じ違和感を覚える原因となる。
【００１０】
また、観察画角に関して、図７の構成では撮影時と同じ１８０度であるが、図８の構成では１３５度と狭くなるため、映像全体としての臨場感・迫力が減少してしまうというデメリットも生じる。これを考慮して、図９のように、図８と同じスクリーン構成でありながら観察位置を変えることで画角を撮影時と合わせる方法も考えられるが、この場合は、各被写体の配置を撮影時通りに再現できない点は図８と同様で、加えて左右のスクリーンに対する観察角度が変わるために、映像全体としての歪みや感じる違和感がさらに大きくなる可能性がある。
【００１１】
以上の記述では、簡単のため、単眼視用の映像撮影のケース、即ち各スクリーン用のカメラが一つずつである例で説明したが、立体視用の映像撮影のケースでも同様であり、さらに立体映像特有の問題を生ずる。以下、この点について説明する。立体視用の映像撮影のケースでは、各スクリーン用に２台のカメラが並列に配置された構成をとり、２台セットで両眼視差を有する一組の映像を撮影することになる。そのようなケースでは、視点と被写体との位置・角度関係が、立体映像に対する映像制作者の意図を反映したものであると共に、観察時の立体映像の品質に直接影響を与えることになる。
【００１２】
すなわち、図７のように、観察位置Ｐ１と各被写体の位置・角度関係が撮影時と相似関係にあれば、各被写体の立体感を再現した良好な映像が得られるが、図８や図９のように、上記の位置・角度関係が崩れるような条件の場合、観察される立体映像は、見えるはずの領域が見えない、あるいは見えないはずの領域が見えてしまう、といった、立体映像として品質の悪い、強い違和感を覚える映像になってしまう。
【００１３】
また、以上の記述では、水平方向に３面のスクリーンを配置した表示装置の構成で説明したが、上下方向にスクリーンを配置した構成でも同様の問題を生ずる。例えば、正面スクリーンの下辺に連続するように下面スクリーンを配置し、この下面スクリーンは正面スクリーンの表示面に対して手前方向に角度を持たせたような２面構成の表示装置を考える。この場合、正面スクリーン用と下面スクリーン用の一組のカメラで映像を撮影することになるが、そのカメラ間の角度とスクリーン間の角度が異なる場合、観察される映像は撮影時の被写体との位置・角度関係を再現することができず、映像の歪みや立体感の不整合、およびそれに伴う違和感を生じることとなる。
【００１４】
以上説明したように、映像撮影時のカメラ配置と観察時のスクリーン配置が異なる場合、撮影時の視点（カメラ）と被写体の位置関係と、観察時の視点（観察者の目）と被写体の位置関係に差異が生じるため、観察される映像に歪みや違和感を生じることになる。特に、両眼視差を有する立体映像として撮影・観察する場合には、立体映像の品質自体を低下させるほどの強い影響を及ぼす。そして、撮影時のカメラ間角度と観察時のスクリーン角度の差が大きくなれば大きくなるほど、観察される映像の品質に与える影響がより大きくなるという性質がある。
【００１５】
本発明は、上記の課題を解決することを目的とする。すなわち、マルチスクリーンの映像表示装置において、撮影条件が異なる様々な映像を、臨場感・没入感の高い良好な品質で観察できるように表示し、特に立体映像として撮影された映像に関して、良好な品質で観察できるように表示することを目的とするものである。
【課題を解決するための手段】
【００１６】
上記の課題を解決するため、本発明のマルチスクリーン映像表示装置においては、以下の手段を備える。
（１）複数の映像表示手段を備え、映像表示手段間で表示面のなす角度が可変であるマルチスクリーン映像表示装置であって、
映像情報を含む多重化データを、符号化映像データと、映像に関する付属情報とに分離するデータ分離手段と、
前記符号化映像データを復号し、表示可能な映像データを生成する映像復号手段と、
前記付属情報から、映像撮影時のカメラの撮影角度を含む撮影条件を抽出する撮影条件抽出手段と、
前記復号された映像データを、前記複数の映像表示手段に対応させて出力する映像出力手段と、
前記複数の映像表示手段間の各表示面のなす角度を検出する表示条件検出手段と、
前記撮影条件と、前記表示条件とから、前記複数の映像表示手段間の各表示面のなす角度に関する調整要否と必要調整量を判定する調整判定手段と、
前記調整要否または必要調整量を表す情報を出力する調整状態出力手段と、
を備えるものである。
【００１７】
（２）前記複数の映像表示手段は、第１の映像表示手段と、第１の映像表示手段の左側面に連続もしくは隣接して配置される第２の映像表示手段と、第１の映像表示手段の右側面に連続もしくは隣接して配置される第３の映像表示手段とを含んで構成されるものである。
【００１８】
（３）前記複数の映像表示手段は、第１の映像表示手段と、第１の映像表示手段の下側面に連続もしくは隣接して配置される第２の映像表示手段とを含んで構成されるものである。
【００１９】
（４）前記複数の映像表示手段は、両眼視差を有する立体映像を表示する構成を備えるものである。
（５）別の構成として、複数の映像表示手段を備え、映像表示手段間で表示面のなす角度が可変であるマルチスクリーン映像表示装置であって、
映像情報を含む多重化データを、符号化映像データと、映像に関する付属情報とに分離するデータ分離手段と、
前記符号化映像データを復号し、表示可能な映像データを生成する映像復号手段と、
前記付属情報から、映像撮影時のカメラの撮影角度を含む撮影条件を抽出する撮影条件抽出手段と、
前記復号された映像データを、前記複数の映像表示手段に対応させて出力する映像出力手段と、
前記複数の映像表示手段間の各表示面のなす角度を検出する表示条件検出手段と、
前記撮影条件と、前記表示条件とから、前記複数の映像表示手段間の各表示面のなす角度に関する調整要否と必要調整量を判定する調整判定手段と、
前記必要調整量に従って、前記映像表示手段間の各表示面のなす角度を調整する表示条件調整手段と、
を備えるものである。
【発明の効果】
【００２０】
本発明のマルチスクリーン映像表示装置により、撮影時のカメラ配置が異なる様々な映像を、それぞれに最適な鑑賞条件で鑑賞することができる。特に、立体視映像の鑑賞時に、映像制作者の意図した立体感および、臨場感や没入感を損なわない、高品位な映像を得ることができる。
【図面の簡単な説明】
【００２１】
【図１】本発明の第１の実施形態の装置構成を示す概観図である。
【図２】本発明の第１の実施形態の機能構成を示すブロック図である。
【図３】本発明の第１の実施形態における状態表示部の表示例を示す図である。
【図４】本発明の第２の実施形態の装置構成を示す概観図である。
【図５】本発明の第４の実施形態の機能構成を示すブロック図である。
【図６】複数カメラによる映像の撮影条件の一例を示す概念図である。
【図７】複数スクリーンによる映像の観察条件の一例（撮影条件と一致する例）を示す概念図である。
【図８】複数スクリーンによる映像の観察条件の一例（撮影条件と一致しない例）を示す概念図である。
【図９】複数スクリーンによる映像の観察条件の一例（撮影条件と一致しない例）を示す概念図である。
【発明を実施するための形態】
【００２２】
以下、本発明を実施するための最良の形態を、図面を参照しながら詳細に説明する。
（実施例１）
図１に、本発明のマルチスクリーン映像表示装置の一実施形態の概観図を示す。
図１（Ａ）は、装置を天井方向から見下ろした図で、図１（Ｂ）は、装置を正面やや斜め上方から見た図である。図示のように、マルチスクリーン映像表示装置は、スクリーン１０１ａ〜１０１ｃが順に左右方向に隣接するように配置され、隣接するスクリーン間はヒンジ部１０２ａ、１０２ｂによって角度可変に固定される。可動範囲は、矢印で示したように、中央のスクリーン１０１ｂに対して、スクリーン１０１ａ，１０１ｃの角度θ１，θ２それぞれ、０度〜９０度である。各スクリーン間の角度は、ヒンジ部周辺もしくは各スクリーン裏に設置される角度センサによって検出される。また、図１（Ｂ）に示すようにスクリーンとは別の表示部１０３を有する。
【００２３】
次に、図２に、上記マルチスクリーン映像表示装置の機能構成を示すブロック図を示す。図示の通り、本発明のマルチスクリーン映像表示装置は、データ分離部２０１、映像復号部２０２、映像条件抽出部２０３、映像出力部２０４、映像表示部２０５ａ〜２０５ｃ、表示条件検出部２０６、表示調整判定部２０７、状態表示部２０８とから構成される。以下、各構成要素の動作について説明する。
【００２４】
まず、撮影された映像情報を含む多重化データが記録もしくは伝送され、蓄積メディアや通信回線を介して本マルチスクリーン映像表示装置に入力される。データ分離部２０１は、この多重化データを受信し、符号化された映像データと付属情報とに分離する。そして、符号化映像データは映像復号部２０２へ伝送し、付属情報は撮影条件抽出部２０３へ伝送する。映像復号部２０２は、符号化映像データを対応する復号方式に従って復号し、表示可能な映像データとして映像出力部２０４に出力する。この映像データには、映像撮影時に複数のカメラで撮影された複数の映像が含まれている。映像出力部２０４は、前記複数の映像を、それぞれ対応する各映像表示部２０５ａ〜２０５ｃに振り分けて出力する。映像表示部２０５ａ〜２０５ｃは、図１の例では、スクリーン１０１ａ〜１０１ｃに該当する。
【００２５】
映像表示部２０５ａ〜２０５ｃは、入力された映像をそれぞれ表示する。一方、撮影条件抽出部２０３は、付属情報から、撮影時のカメラ配置角度を含む撮影条件を抽出し、表示調整判定部２０７へ出力する。また、表示条件検出部２０６は、映像表示部２０５ａと２０５ｂの間、および、２０５ｂと２０５ｃの間の、各スクリーン角度を検出し、表示条件として表示調整判定部２０７へ出力する。表示調整判定部２０７は、入力された撮影条件と表示条件とから、映像表示部２０５ａ〜２０５ｃに関する調整の要否とその調整量を判定し、判定結果を状態表示部２０８に出力する。状態表示部２０８は、入力された判定結果を、文字や図形などを用いた可視情報として表示する。状態表示部２０８は、図１の例では、表示部１０３に該当する。
【００２６】
ここで、表示条件検出部２０６と表示調整判定部２０７の動作に関して詳細に説明する。表示条件検出部は、図１において、スクリーン１０１ａと１０１ｂの間の角度θ１および、スクリーン１０１ｂと１０１ｃ間の角度θ２を角度センサによって検出し、表示調整判定部２０７に出力する。角度センサが検出するスクリーン間の角度θ（θ１，θ２）は、スクリーンの表示面のなす角度をθ´とするとき、θ＝１８０―θ´の関係にある角度である。ここでθ´は、表示面のなす角度のうちの劣角側の角度を指す。すなわち、正面のスクリーン（図１の例ではスクリーン１０１ｂ）の配置面から手前側に起き上がった角度を意味するものである。
表示調整判定部２０７は、入力されたθ１、θ２と、撮影条件抽出部２０３から別途入力される撮影カメラ間の角度α１、α２とを比較し（図６参照）、その差分を必要調整量Δθ１、Δθ２として算出する。撮影カメラ間の角度α１、α２は、より具体的には、カメラの光軸間のなす角度を指すものである。ここでΔθ１、Δθ２がゼロの場合は調整不要と判定し、何らかの値を持つ場合は、調整必要と判定する。
【００２７】
このようにして得られた調整要否とその必要調整量の判定結果は、文字や記号として可視情報にした上で状態表示部２０８に表示する。図３に、状態表示部の表示例を示す。図３（Ａ）・（Ｂ）いずれも、太線が現在のスクリーンの角度すなわちθ１やθ２に相当する位置を示し、△のマークが調整目標であるα１やα２の角度位置を示している。ユーザがこの表示を確認しながら、各スクリーンの角度を調整し、最終的に両者の角度が一致した時に、△マークの色を変えて調整が完了したことをユーザに通知する。スクリーン角度の調整手段は図示していないが、直接スクリーンを手動で動かす構成でもよいし、ダイヤルやハンドル操作などによって電気的・機械的制御を介してスクリーン角度を変える構成でもよい。また、調整が完了したことをユーザに通知する手段は、△マークの色を変える他に、画面全体の色を変えたり、表示内容を点滅させたり、別途インジケータのランプを点灯させたり、あるいはチャイムなどの音信号で通知してもよい。
【００２８】
また、上記の例では、表示調整の判定結果を表示する状態表示部２０８を備える構成を示したが、この状態表示部２０８を備えなくともよい。その場合は、図３と同様の情報を映像表示部２０５ａ〜２０５ｃに映像と重畳して表示する構成でもよい。あるいは、映像としては表示せず、ＬＥＤなどの発光デバイスを用いたインジケータによる表示でもよい。例えば、ＬＥＤを３素子用いて、必要調整量が正の時／ゼロの時／負の時にそれぞれを点灯や点滅させる構成でもよい。あるいは、可視情報としては一切表示せず、音によって知らせる構成でもよい。例えば、角度が広すぎる時は「ピピッピピッ」角度が狭すぎる時は「ピッピッ」、角度が調整不要になった時には「ピー」とそれぞれアラーム音を鳴らし、調整の要否と調整方向を知らせる構成でもよい。
【００２９】
なお、上記実施例において、撮影条件を含む映像の付属情報は、多重化データからデータ分離部で分離する構成としたが、撮影条件抽出部２０３に直接入力される構成でも良い。その際、撮影条件抽出部２０３の出力である撮影時のカメラ角度を、ユーザが直接指定する構成でもよく、そのための入力手段を別途備えていてもよい。
【００３０】
以上、本発明の一実施例に関して説明したが、本発明の映像表示部は、液晶パネルやプラズマパネル等で構成される映像表示システムであってもよいし、プロジェクタとスクリーンで構成される映像表示システムであってもよく、その表示方式や機器構成に依存しない。
【００３１】
（実施例２）
続いて、本発明のマルチスクリーン映像表示装置の第２の実施形態について説明する。第２の実施形態は、第１の実施形態では３つ備えた映像表示部を２つ備える構成の例である。その他の構成要素は第１の実施形態と同様であるが、映像表示部の配置が第１の実施形態では左右方向に隣接していたのに対し、第２の実施形態では上下（垂直方向）に隣接する構成である点が最大の相違点である。
【００３２】
図４に、本発明のマルチスクリーン映像表示装置の第２の実施形態の概観図を示す。
図４（Ａ）は、装置を真横から見た図で、図４（Ｂ）は、装置を正面やや斜め上方から見た図である。図示のように、スクリーン４０１ａ〜４０１ｂが上下方向に隣接するように配置され、スクリーン間はヒンジ部４０２によって角度可変に固定される。可変範囲は、点線矢印で示したように、正面のスクリーン４０１ａに対するスクリーン４０１ｂの角度θ３が０度〜９０度である。スクリーン間の角度は、ヒンジ部周辺もしくは各スクリーン裏に設置される角度センサによって検出される。なお、図示は省略したが、図１（Ｂ）に示した表示部１０３と同等の表示部を備えてもよい。
【００３３】
本実施形態のマルチスクリーン映像表示装置に関しては、機能構成を示すブロック図と動作の説明は省略する。基本的に図２に示した構成と同様であり、違いは前述の通り、映像表示部の数と配置のみである。すなわち、本実施形態においても、第１の実施形態と同様に、映像表示部間の角度の検出と、別途入力される撮影条件に基づいて、スクリーン角度の調整要否判定を行い、判定結果をユーザに通知する。
以上の構成により、第１の実施形態と同様、撮影条件と表示条件を整合させることができ、良好な品質の映像を観察することを可能にするものである。
【００３４】
（実施例３）
続いて、本発明のマルチスクリーン映像表示装置の第３の実施形態について説明する。第３の実施形態は、各映像表示部が、両眼視差を有する立体視映像の表示機能を備えることを特徴とするものである。
【００３５】
立体視映像の表示機能を備える場合、本発明のマルチスクリーン映像表示装置は、映像復号部２０２において、両眼視差を有する１組の映像データを復号する機能を備え、映像出力部２０３において、復号された各映像データを対応する映像表示部２０５ａ〜２０５ｃに出力する機能を備え、映像表示部２０５ａ〜２０５ｃにおいては、伝送された１組の映像を左目用映像と右目用映像とに区別して表示する機能を備える。本発明においては、立体映像の表示方法は特定の方式に限定されるものではなく、パララックスバリアによる表示方式，レンチキュラによる表示方式，電子シャッター（メガネ）を利用する表示方式，偏光フィルム（メガネ）を利用する表示方式，等、両眼視差を有する立体映像を対象にしたものであれば、いずれの方式も適用可能である。
【００３６】
以上の説明は第１の実施形態を参照して説明したものであるが、第２の実施形態に関しても同様に適用することができる。いずれにしても、立体表示の可能な映像表示部を使用する際には、前述の通り、撮影条件と観察条件が異なる場合に映像品質に与える影響がより大きくなるが、本発明の構成によりこれを避け、良好な品質の立体視映像を表示・観察することを可能にするものである。
【００３７】
（実施例４）
続いて、本発明のマルチスクリーン映像表示装置の第４の実施形態について説明する。第４の実施形態は、各映像表示部間のスクリーン角度を自動調整する機能を有する表示条件調整手段を備えることを特徴とするものである。
【００３８】
図５に、第４の実施形態のマルチスクリーン映像表示装置の機能構成を示すブロック図を示す。図示の通り、本発明のマルチスクリーン映像表示装置は、図２の機能構成と比較して、状態表示部２０８がなくなり、新たに表示条件調整部５０８が追加になっている。
ここで、表示条件調整部５０８の動作について、図５および、第１の実施形態の機器構成を示す図１を参照しながら詳細に説明する。
【００３９】
表示条件調整部５０８は、ロータリーアクチュエータとその制御部とで構成され、アクチュエータは、図１に示すヒンジ部１０２ａ、１０２ｂに内蔵されて設置される。前記制御部は、表示条件検出部５０８に含まれる角度センサによる検出結果を参照しながら、ロータリーアクチュエータを制御し、表示調整判定部２０７で決定した調整量に達するまで、各スクリーン間の角度を自動調整するものである。このような構成を備えることにより、ユーザが調整要否と調整量を確認しながらスクリーンの角度を変える手間を省いて、簡便に撮影条件と観察条件の整合をとることができ、結果として良好な映像をユーザが観察することを可能にするものである。
【００４０】
以上、本発明に関する４つの実施形態について説明した。
以上の説明では、映像表示手段としてのスクリーン数が３ないし２の例を示したが、スクリーン数はこれに限らず、３を超える数で構成されていても良く、また、スクリーン配置も左右方向のみ、上下方向のみの構成の他、左右方向と上下方向が混在したものであっても良い。いずれの場合でも、隣接する各スクリーン間には、スクリーン角度を可変とするヒンジ部およびその角度を検出する角度センサを備え、その検出角度と映像撮影時の各スクリーン用のカメラ間角度を示す情報とを比較して最適なスクリーン角度を判定する手段を備えることによって、本発明のマルチスクリーン映像表示装置を構成することができる。
【００４１】
また、映像表示手段としてのスクリーンの表示面のなす角度に関する調整要否または必要調整量を表す情報を出力する状態表示部２０８と、必要調整量に従ってスクリーンの各表示面のなす角度を調整する表示条件調整部５０８とを合わせもった構成としてもよい。この場合、必要調整量を表示することでユーザが必要調整量を知ることができ、かつ、ユーザはスクリーンの角度調整を手動で行う必要なく、最適な映像品質を得ることができる。
【符号の説明】
【００４２】
１０１ａ〜１０１ｃ…映像表示部、１０２ａ，１０２ｂ…ヒンジ部、１０３…状態表示部、２０１…データ分離部、２０２…映像復号部、２０３…撮影条件抽出部、２０４…映像出力部、２０５ａ〜２０５ｃ…映像表示部、２０６…表示条件検出部、２０７…表示調整判定部、２０８…状態表示部。
【図１】
2011035590.tif 000003
【図２】
2011035590.tif 000004
【図３】
2011035590.tif 000005
【図４】
2011035590.tif 000006
【図５】
2011035590.tif 000007
【図６】
2011035590.tif 000008
【図７】
2011035590.tif 000009
【図８】
2011035590.tif 000010
【図９】
2011035590.tif 000011